(57)【要約】      （修正有）【課題】商品陳列棚に置いて使用する商品陳列用具で、陳列棚の先端（前方部分）に商品が落下しないように商品落下防止用の板あるいは商品落下防止用の網が設けられていても使用可能であって、商品情報の印刷物の取り付け交換が容易になるようにする。【解決手段】側板と、この側面板の上端より斜め下方に伸びる前面板とよりなり、前面板より側面板側に伸びる保持用突出部を設けることにより、側面板と保持用突出部の間に陳列棚の落下防止用の板あるいは商品落下防止用の網が位置しこれを挟むように商品陳列用具を設置するようにした陳列用具で、前面板の上端および下端に夫々Ｕ字状保持部を設け、両Ｕ字状保持部にて商品情報等を印刷した印刷物を保持するようにした。【選択図】図１
0003120769.tif 000002
【実用新案登録請求の範囲】
【請求項１】
商品陳列棚の先端部分に設置して用いる商品陳列用具で、上下方向に伸びる側板と、前記側板の上側端部より斜め前方および下方に伸びる前面板とよりなり、前記前面板と側板との間に前記陳列棚の先端に設けられた商品落下防止用の板又は商品落下防止用の網を挟むように構成した保持用突出部を備え、更に、前記前面板の上側端部および下側端部の夫々内側にＵ字状をなす保持部を形成したことを特徴とする商品陳列用具。
【請求項２】
前記保持用突出部が、前記前面板の上側端部のＵ字状保持部より側板側へ伸びた形状で、この保持用突出部と側板との間に前記陳列棚の商品落下防止用の板又は商品落下防止用の網を挟むように構成したことを特徴とする請求項１の商品陳列用具。
【請求項３】
前記前面板の下端内側に設けられたＵ字状保持部にてカード差しを保持するようにした請求項１の商品陳列用具。
【請求項４】
前記側板近傍にＵ字状の第３の保持部を設け、更にＬ字状の支持台を別部品として備え、前記Ｌ字状の支持部材を前記商品陳列棚に置いた上で前記Ｌ字状の支持台の先端に第３Ｕ字状の保持部を利用して取り付けるようにした請求項１、２又は３の商品陳列用具。
【考案の詳細な説明】
【技術分野】
【０００１】
本考案は、商品販売時に商品陳列棚上に商品を陳列するに際して使用される商品陳列用具に関するもので特に商品情報等の表示部分その他に特徴を有するものである。
【背景技術】
【０００２】
従来の商品陳列用具例えば陳列用トレイは、プラスチック、厚紙、金属等にて形成された底の浅い容器状のもので、その中に販売すべき商品が外から明瞭に見得るように又簡単に取り出し得るように置かれており、更にその前面には差し込みその他の手段にて容易に商品に関する表示を行なったラベル等を取り付け得るような構成のものが一般的である。
【０００３】
又、トレイの大きさは、商品を置いた状態にて持ち歩きや陳列棚への設置が容易であるように、比較的小型であって商品を置いた状態でも軽量であるように構成されている。
【０００４】
このように小型軽量であるため、陳列棚へ設置した後にトレイ上の個々の商品の取り出しの際に商品と共にトレイが移動するおそれがあった。特にトレイ上の商品の数が少なくなり、一層軽量になるとトレイの移動が一層おこりやすく、所定位置からのずれや所定の向きからのずれを生じ商品陳列上好ましくない。
【０００５】
又、薄型のパッケージ入りの商品をトレイに入れて展示する場合、商品が見やすいように、又商品をトレイから取り出し易いように立てて（上下方向に長くなるように）配置することがある。
【０００６】
このようにトレイに商品を立てておいた場合、商品が倒れ易く、特に商品の数が少なくなった場合には、倒れ易く又斜めにずれるおそれがある。
【０００７】
又、商品の販売時の広告、商品の特徴等をアピールするために、広告用情報表示（ＰＯＰ）を行なうことがあるが、従来の陳列用トレイ等の陳列用具は商品表示等を行なう場所が限られるため広告のための効果が十分得られない。
【０００８】
又、前面板等の商品の表示、広告用情報表示等を含めて商品陳列のための機能を多く備えていて、これらの機能が最も効果的になし得るようにそれらを容易に変形可能な構造にした商品陳列用具は、殆ど知られていない。
【０００９】
この課題を解決した商品陳列用具として本考案の考案者は、次のような陳列用具を開発して下記文献１に記載された内容の実用新案登録を行なった。
【特許文献１】実用新案登録第３０４８６５８号
【特許文献２】実用新案登録第３１１７５３１号    それは、簡単な構造のトレイ状の商品陳列用具で、複数のトレイを夫々連結可能にした商品陳列用具である。
【００１０】
また、陳列後に商品が倒れたりずれたりすることがない商品の安定した陳列、展示が可能であるトレイである。
【００１１】
また、商品の表示や広告の表示が容易であって又その配置位置を変えることが容易である商品陳列用具である。
【００１２】
更にこの商品陳列用具は、商品陳列棚に商品を直接載せる方式の商品陳列用具で、商品間を仕切る仕切板の配置並びに配置位置の変更が容易であり、又商品の情報や商品の広告のための情報伝達用の表示板の設置並びに設置位置の変更が容易である商品陳列用具である。
【００１３】
上記の商品陳列用具は、長方形状の底板と、底板の一側辺に形成された側板と、この側板と相対する側に形成された突部とより形成されていて、側板の下端に突部に嵌合する凹部を有するもので、一つの陳列用具の突部に他の陳列用具の凹部を嵌合させることにより両陳列用具を互いに連結させ得るようにしたことを特徴とする。
【００１４】
又、上記の商品陳列用具は、陳列用のトレイの側板内面に弾力性を有するテープ状の倒れ防止片を接着等の手段にて設けたもので、比較的縦長のパッケージを立てて配置する場合、倒れ防止片の弾力性を利用してパッケージが倒れることのないように保持するようにしたものである。
【００１５】
又、前記の商品陳列用具において、弾力性を有するテープ状物の表面を平滑な面にして倒れ防止片を構成し、この倒れ防止片の押圧力により保持したパッケージを滑らせて移動し得るようにしたことを特徴としている。
【００１６】
更に商品陳列用具は、ハンガーを備えたもので、このハンガーを利用して商品を陳列するようにしたことを特徴としている。
【００１７】
このような商品陳列用具の具体的構成は、商品陳列台の棚板上に固定して使用する陳列部材を有するもので、この陳列部材が棚板の横幅方向に伸びる前面板を有しこの陳列部材の前面板の表面以外の部分に前面板の長さ方向に伸びる嵌合溝を有し、この嵌合溝を利用して又はこの嵌合溝に支持片を挿入し支持片に仕切板を前面板に直角な方向である縦方向に配置することにより、棚板上を縦方向に仕切り、仕切板間に商品を陳列するようにしたものである。
【００１８】
この商品陳列用具は、陳列用部材と仕切板を用いることにより、陳列台の棚板上に直接商品を安定した状態にて載せることが可能であり、又仕切板の置く位置を変更することにより陳列する商品の形状、大きさに関係なく安定した商品の陳列が可能である。更に、陳列部材に商品表示板設置用の溝を形成することにより商品表示位置を最も望ましい位置に設定することが可能であり、効果的な商品表示や商品内容の説明や広告のための表示が可能である。
【００１９】
上記文献１に記載されている商品陳列用具の一つの実施例として、図１１、図１２に示す構成のものがある。
【００２０】
この図１１、図１２に示す商品陳列用具は、仕切板４６を取り付けるための支持片４５を嵌合させる嵌合溝４４が前面板４３側に突出した構成である。
【００２１】
商品を陳列するための陳列棚には、商品が前方より落下するのを防止するための商品落下防止用の板あるいは網が設けられたものがある。それは、商品陳列棚の先端にそれより上方に垂直に伸びる方向に商品落下防止用の板あるいは商品落下防止用の網が設けられた構成である。
【００２２】
このような商品落下防止用の板、あるいは商品落下防止用の網が設けられた商品陳列用の棚に図１１、図１２に示す構成の商品陳列用具を取り付け使用する場合、前記の嵌合溝４４が邪魔になることがあり好ましくない。
【００２３】
文献２は、前述のような先端に商品落下防止用の板や商品落下防止用の網の設けられた商品陳列棚においても使用可能な商品陳列用具で、しかもこの商品落下防止用の板あるいは商品落下防止用の網を利用して、商品陳列用具が商品陳列棚に確実に設置し得るような構成の商品陳列用具である。
【００２４】
即ち、文献２の商品陳列用具は、底板と、この底板に対し垂直に上方に伸びる側板と、側板の先端より斜め下方に伸びる前面板とにて構成され、側板と前面板との間に商品陳列用棚の先端に設けられた商品落下防止用の板又は網が挿入されるように棚板上に配置して用いるもので、側板と前面板との間に商品落下防止用の板又は網を挟むように構成した保持用突出部を設けたことを特徴とする。
【００２５】
又、この文献２の商品陳列用具は、前述のような底板と側板と前面板とにて構成され、前面板より側板側に伸びる保持用突出部を有するものであって、この保持用突出部と側板との間に商品陳列棚の商品落下防止用の板又は網を挿入して挟むことにより商品陳列用具を固定するようにした。
【００２６】
更に、この文献２の商品陳列用具は、前述の通りの底板と側板と前面板とよりなり更に保持用突出部を有する構成のもので、側板の外側の面（前面板とは反対側の面）に仕切板を保持する嵌合用突起を設けたものである。
【００２７】
この文献２の商品陳列用具は、図５、図６に示す通りである。これら図のうち、図５はその一部を示す斜視図、図６は側面図である。
【００２８】
この文献２に記載された商品陳列用具は、商品陳列棚の先端部において用いるもので、図示するように、陳列棚の横方向に長く伸びた長方形状つまり図５における矢印Ａ方向に伸びた長方形状の底板１とこの底板１の先端側（陳列棚の先端側）より上方に垂直に伸びる側板２と、側板２の上側端部より斜め前方に更に下方に曲面状に伸びる前面板３とを一体に形成した構造である。
【００２９】
更に、この商品陳列用具は、前面板３より側板２の方向に突出させ、側板２、前面板３に沿って伸びる（図５の矢印Ａ方向に伸びる）商品陳列棚に取り付け固定するための保持用突出部４を設けたことを特徴とする。
【００３０】
これにより、商品陳列棚の先端部の商品落下防止用の板又は網がこの保持用突起４と側板２との間に挿入されるように陳列棚に設置することにより、この商品陳列用具がずれたり落下することのないように固定する。
【００３１】
又、この商品陳列用具は、側板２の前面板３の側とは反対側（保持用突出部４とは反対側）に図５の矢印Ａ方向に伸びる仕切板取り付け用の嵌合突起５が形成されている。この嵌合突起５を利用して、仕切板が取り付けられる。つまり図７に示すような仕切板１１を嵌合させ配置する。
【００３２】
この図７に示す仕切板１１は、複数の板１２、１３、・・・よりなり、そのうちの第１の板１２の１端に図５の商品陳列用具の側板に設けられた仕切板保持用嵌合突起５に嵌合される嵌合溝１２ａが形状されている。
【００３３】
この仕切板１２の嵌合溝１２ａを利用して、仕切板１１を前記の商品陳列用具の側板２に設けられた嵌合突起５に嵌合させて、底板１と側板２に対して直角に配置する。これにより、商品陳列棚の商品を載せる棚板上をこの仕切板１１にて仕切る。
【００３４】
ここで、嵌合溝１２ａを側板２の嵌合突起５に沿って移動させることにより、必要に応じて適宜位置にて仕切ることができる。
【００３５】
又、仕切板１１は複数の板１２、１３、・・・よりなり、各板は、いずれも図７の接合部２０にて切り離し可能な構成である。したがって、この接合部２０にて切り離すことにより、適宜長さにして使用することが可能である。
【００３６】
尚、図７の仕切板には嵌合溝１２ａのほか嵌合溝１２ｂが設けられている。
以上述べた従来（文献２）の商品陳列用具は、商品陳列棚の先端部分に設置して用いるもので、その際に商品陳列棚の先端に設けられた商品落下防止用の板又は網を側板２と保持用突出部４との間に挟むようにして設置する。
【００３７】
ここで、この商品陳列棚は、例えばスチロール、ポリプロピレン等の合成樹脂材料にて形成され、したがって、保持用突出部４は、バネ性を持たせることが可能である。このように、保持用突出部４にバネ性を持たせることにより、商品陳列用具がずれる等することなく確実に固定し得る。
【００３８】
又、この商品陳列用具は、側板２の外側に嵌合突起を設けてあり、これにより前述のように仕切板を配置することが可能である。したがって、商品陳列用具に対して直角方向に伸びる仕切板にて適宜に区切り、各区切り内のスペースに例えば異なる商品を載せて販売する等の利用が可能である。
【００３９】
又、前面板３には、商品に関する情報を記載したものを貼り付けて使用すればよい。
【００４０】
又、この前面板の裏面にはカード差しを支持するための突起７が形成されている。図１０はカード差し８の一例である。このカード差し８を前面板の先の部分（下端部分）にカード差しの８ａと８ｂの間に前面板を挿入し前面板の突起７とカード差し８の８ｃとにて支持する。そして、商品に関する各種情報等を印刷したカードを挿入する。
【００４１】
又、文献２に記載されている商品陳列台の他の例として、図８に示すものがある。この商品陳列用具は、底板１と側板２と前面板３とよりなり、又前面板３にはそれより内側（側板２の側）に伸びる保持用の突出部４が形成されている。この図８に示す従来の商品陳列用具もその先端に商品落下防止用の板又は網を有するも商品陳列棚に使用するのに適した構成である。
【００４２】
この図８の商品陳列用具は仕切板固定バネ６を設けたものである。
【００４３】
又、この図８の商品陳列用具にて用いられる仕切板は、図９に示す構成である。この仕切板２１は、図７の仕切板１１と同様に複数の板２２、２３、・・・よりなり、第１の仕切板２２の先端下方に図８に示す実施例２の商品陳列用具の固定バネ６は嵌合する嵌合溝２２ａを設けたものである。この嵌合溝２２ａを固定バネ６に嵌合することにより、仕切板２１を実施例２の底板１に取り付け固定した商品陳列棚を仕切るようにしている。
【００４４】
この文献２に記載されている商品陳列用具は、陳列棚に並べる商品の値段等は、カードをカード差しに配置して表示する。又、商品に関する情報やその他の情報等は、印刷物を前面板の曲面部分に配置することがある。そのためには、前面板の曲面に貼る等の手段にて行なわれる。
【００４５】
ここで、商品に関する情報等の前面板の曲面部ほぼ全体を覆うように配置する印刷物は、前記のように貼り付けにより配置せざるを得ないため、特に印刷物の交換にとって極めて不便であった。
【００４６】
またこの従来の商品陳列用具は、カード差しの保持も不安定であった。
【００４７】
更に、この文献２の商品陳列用具は、商品の落下防止のための板や網を有する棚等に用いるものである。
【００４８】
したがって、前記の板や網を備えていない棚板に使用するためには不便であり、また使用出来ないこともある。
【考案の開示】
【考案が解決しようとする課題】
【００４９】
本考案は、前記文献２の商品陳列用具の欠点を除去すべく更に改良したもので、前面板に保持する商品情報等の印刷物の取付保持が容易でその交換が可能であり、更にカード差しの保持が確実な商品取付用具を提供するものである。
【００５０】
また、本考案は、商品落下を防止するための板や網を有する商品陳列棚の他前記板や網を備えていない商品陳列棚にも使用し得るようにした商品陳列用具を提供するものである。
【課題を解決するための手段】
【００５１】
本考案の商品陳列用具は、上下方向に伸びる側板と、この側板の上端部分より斜め前方および下方に伸びる前面板と、前面板と側板との間に商品落下防止用の板または商品落下防止用の網を挟むようにした保持用突出部を備え、これにより商品陳列用具を保持するようにしたもので、この前面板の上側端部で側板との間および下側短部の内側に夫々形成されたＵ字状の保持部を有することを特徴とする。そして上側端部と下側端部とに形成された両Ｕ字状の保持部を利用して、商品に関する情報等の印刷した印刷物を保持するようにした。
【００５２】
このように本考案の商品陳列用具は、二つのＵ字状保持部を利用して印刷物を保持し得るため印刷物の保持が容易であると共に印刷物の交換も容易である。しかも、印刷物は、その印刷された内容を透明の前面板を通して見得ると共に印刷面の汚れを防止することになる。
【００５３】
また、本考案の商品陳列用具は、前面板の下端部分に形成されたＵ字状の保持部を利用してカード差しの保持が可能であり、カード差しを確実に保持し得る。
【００５４】
更に本考案の商品陳列用具は、この商品陳列用具自体を支持するために利用される他の第３のＵ字状支持部を設けることにより、別部品である断面Ｌ字状の支持台を利用することにより、商品の落下を防止するための板または網が設けられていない商品陳列棚にも利用可能である。
【考案の効果】
【００５５】
本考案の商品陳列用具は、前面板のほぼ全体にわたった大きさの印刷物の配置、交換が容易であり、また、カード差しを用いる際のその保持が確実であり、更に、商品の落下を防止するための板あるいは網が設けられていない商品陳列棚に対しても使用が可能である等の効果を有する。
【考案を実施するための最良の形態】
【００５６】
本考案の商品陳列用具の実施の形態を、図示する実施例にもとづいて説明する。
【実施例１】
【００５７】
図１は、本考案の商品陳列用具の実施例１を示す。この図１は本考案の商品陳列用具を側面より見た図であって、文献２に示す従来例である図６、図８等に記載するものと同様図１に示す側面形状が紙面の垂直方向に長く伸びた構成で、例えば、ポリスチレン等の透明な合成樹脂材料にて形成されている。
【００５８】
この図において、２は側板、３は前面板、４は商品陳列棚の先端部分に設けられた商品の落下を防止するための板あるいは網を挟むように構成された保持用突出部であって、これらの構成は、図６、図８に示す従来例と基本的に同じである。したがって、本考案の商品陳列用具も、前記の商品の落下を防止するための板または網を側板２と保持用突出部４の間に挿入し挟むことにより、商品陳列棚の先の部分に配置、固定して使用する。
【００５９】
この実施例１の商品陳列用具には、側板２と前面板３の間で両者の結合部分付近にＵ字状保持部３ａと前面板３の先端の内側に同様のＵ字状保持部３ｂが形成されている点で、図６等に示す従来例と異なっている。
【００６０】
そして、この二つのＵ字状保持部３ａ、３ｂを利用して、前面板の裏側に、例えば商品情報を印刷した印刷物を保持するようにしている。つまり、印刷物をその印刷面が前面板側に向くようにして二つのＵ字状保持部３ａ、３ｂにより保持することにより、透明な前面板３の前方より印刷された内容が明瞭に見得るようにしてある。
【００６１】
この実施例１のように、本考案の商品陳列用具は、印刷物の取り付けが簡単であり、また表示内容の変更は、他の印刷物との交換により可能であり、また交換は極めて簡単である。
【００６２】
また、Ｕ字状保持部のうち下端部のＵ字状保持部３ｂは、図３に示すカード差しの取り付けにも利用し得る。つまり図３（Ａ）に示すカード差し８をＵ字状保持部３ｂが設けられた部分に挿入し、その先端８ｃをＵ字状保持部３ｂに掛けることにより、カード差し８が落下することなく確実に保持し得る。そして、このカード差しと前面板３との間にカードを差し込んで使用する。
【００６３】
このように、この実施例１の前面板３の下端部のＵ字状保持部３ｂは、印刷物の保持と共にカード差しの保持にも使用し得る。しかも図６、図８に示す従来例に比べて、カード差しの保持は一層確実である。
【００６４】
尚、図３に示すカード差しのうち、前述の（Ａ）に示すカード差しは、文献２に示す従来の商品陳列用具にて用いたものと同じ構造のものである。つまり図１０に示すカード差しと同じものである。
【００６５】
又、図３の（Ｂ）にて示すカード差しは、（Ａ）のカード差しと異なり、８ｃの面に内側に突出する凸部８ｄを有している。この凸部８ｄを有することにより、このカード差しを取り付けた時、Ｕ字状保持部３ｂを挟むことになる。これによりカード差しを一層確実に固定し得る。
【００６６】
更に、この実施例１の商品陳列用具は、側板２の背面側にも他の第３のＵ字状保持部３ｃが形成されている。
【００６７】
この第３のＵ字状保持部３ｃは、商品陳列棚の先端部分に、商品落下を防止するための板あるいは網が設けられていない場合に使用するためのものである。    即ち、図４に示すようなＬ字状の商品陳列用具を保持するための商品陳列用具の支持台９を、陳列棚上に置き、その先端の取り付け部９ａに本考案の商品陳列用具の第３のＵ字状保持部３ｃを嵌合させることにより取り付ける。
【００６８】
これにより、本考案の商品陳列用具は、商品の落下を防止するための板あるいは網のいずれも設けられていない商品陳列棚での使用が可能である。
【００６９】
この図４に示す支持台９の底板９ｂは、本考案の商品陳列用具を取り付け保持した時に転倒することのない適宜な長さにしてある。
【実施例２】
【００７０】
図２は、本考案の商品陳列用具の変形例である実施例２を示す。
【００７１】
この実施例２は、第３のＵ字状保持部３ｃが側板２の内側（側板２の前面板側）に設けられている点で実施例１と異なる。そのため、陳列棚の商品の落下を防止するための板あるいは網を備えた商品陳列棚に、この実施例２の商品陳列用具を用いる場合、保持用突出部４とＵ字状保持部３ｃとの間にて商品の落下を防止するための板あるいは網を挟むようにして商品陳列用具を固定する点で、実施例１と異なる。しかし、その他の点では実施例１と実質上同じ構成である。
【産業上の利用可能性】
【００７２】
本考案の商品陳列用具は、商品陳列棚の先端部分に受けられた商品の落下を防止するための板あるいは網に取り付け保持して使用するもので、前面板の上側端部および下側端部に夫々設けられたＵ字状保持部により、商品情報等を印刷した印刷物を保持して使用する。更に前面板の下端部のＵ字状保持部を利用してカード差しを保持し、カードを挟んで支持する。また、第３のＵ字状保持部を利用することにより、商品の落下を防止するための板あるいは網のいずれも設けられていない商品陳列棚に対しても例えば図４に示すような構造の支持台を用いることにより、使用が可能になる。
【図面の簡単な説明】
【００７３】
【図１】本考案の商品陳列用具の実施例１の側面図
【図２】本考案の商品陳列用具の実施例２の側面図
【図３】本考案の商品陳列用具で用いるカード差しの例を示す図
【図４】本考案商品陳列用具で用いる商品陳列用具を保持、固定する支持台の一例を示す図
【図５】特許文献２に記載されている従来の商品陳列用具の実施例１の斜視図
【図６】図１の従来例の側面図
【図７】図１の従来例にて用いられる仕切板を示す図
【図８】特許文献２に記載されている従来の商品陳列用具の実施例２の側面図
【図９】図８の従来例にて用いられる仕切板を示す図
【図１０】商品陳列用具で用いるカード差しの一例を示す図
【図１１】他の従来の商品陳列用具を示す図
【図１２】図１１に示す従来の商品陳列用具で仕切板等を取り付けた状態を示す側面図
【符号の説明】
【００７４】
２    側板
３    前面板
３ａ  Ｕ字状の保持部
３ｂ  他のＵ字状の保持部
３ｃ  第３のＵ字状の保持部
４    保持用突出部
８    カード差し
９    支持台
【図１】
0003120769.tif 000003
【図２】
0003120769.tif 000004
【図３】
0003120769.tif 000005
【図４】
0003120769.tif 000006
【図５】
0003120769.tif 000007
【図６】
0003120769.tif 000008
【図７】
0003120769.tif 000009
【図８】
0003120769.tif 000010
【図９】
0003120769.tif 000011
【図１０】
0003120769.tif 000012
【図１１】
0003120769.tif 000013
【図１２】
0003120769.tif 000014